(57)【要約】【課題】  扉の自由側端縁と扉枠との間の隙間に露出するラッチヘッドの破壊を有効に防止できるデッドボルトの構造を提案する。【解決手段】  ラッチボルト１と、その先端に装着されたラッチヘッド３と、ラッチボルトを支持して前後方向に摺動可能に案内するデッドボード４と、錠箱側面の内面に固定された図示しないストッパーに関し、デッドボード４を前方に付勢すると共に、デッドボード４に関しラッチヘッド３を相対的に後方に付勢するラッチばね５とを有し、上記ラッチヘッドには、斜面６を挟んで、衝止面７と側面８とを形成したものにおいて、上記ラッチボルトを焼を入れた鋼鉄の棒とし、その前端がラッチヘッドの斜面及び側面の交差部より前方に位置するようにラッチヘッドへの挿入深さを設定する。【選択図】  図１
2007284871.tif 000002
【特許請求の範囲】
【請求項１】
ラッチボルトと、このラッチボルトの先端に結合ピンを介して装着されたラッチヘッドと、ラッチボルトの内端部を前後方向に摺動可能に案内するデッドボードと、錠箱側面の内面に固定された図示しないストッパーに関し、デッドボード４を前方に付勢すると共に、デッドボード４に関しラッチヘッド３を相対的に後方に付勢するラッチばねとを有し、上記ラッチヘッドには、斜面を挟んで、ストライク孔の開口端縁と係合して扉を扉枠に係止する衝止面と側面とを形成したものにおいて、上記ラッチボルトを焼を入れた鋼鉄の棒とし、その前端がラッチヘッドの斜面及び側面の交差部より前方に位置するようにラッチヘッドへの挿入深さを設定したことを特徴とするラッチボルトを兼ねるデッドボルトの構造。
【発明の詳細な説明】
【技術分野】
【０００１】
この発明は、ラッチボルトを兼ねるデッドボルト（以下単にデッドボルトという）の構造に係り、特に、扉と扉枠との間の隙間（所謂チリ）に薄い金鋸を差し入れての暴力的な破錠を有効に防止でき、錠前の安全性を向上させ得るデッドボルトの構造に関する。
【背景技術】
【０００２】
ある種のデッドボルトは、後記特許文献１に示すように、また、図３に示すように、例えば真鍮製の丸棒であるラッチボルト１と、このラッチボルト１の先端に結合ピン２を介して装着されたラッチヘッド３と、ラッチボルト１の内端部を前後方向（図３で左右方向）に摺動可能に案内するデッドボード４と、錠箱側面の内面に固定された図示しないストッパーに関し、デッドボード４を前方（図３で左方）に付勢すると共に、デッドボード４に関しラッチヘッド３を相対的に後方に付勢するラッチばね５とを有してなる。
【０００３】
なお、上記ラッチヘッド３は、斜面６を挟んで、ストライク孔の開口端縁と係合して扉を扉枠に係止する衝止面７と側面８とが形成されている。
【０００４】
また、上記した構成により、錠箱のフロント板を外した状態でラッチヘッド３を回転させることにより斜面７の向き変えることができ、このようにして錠箱を左勝手の扉にもまた右勝手の扉にも対応させることができる。
【特許文献１】特開平３−１２９０７４号公報
【発明の開示】
【発明が解決しようとする課題】
【０００５】
前記のように構成され、また、図３に示すようなデッドボルトは、概ね図３において符号９で示す線を図示しないフロント板外面に設定している。
【０００６】
したがって、このフロント板外面より外方で、図示しないストライク板より内方の部分が扉と扉枠との間の隙間であるチリ内に露出することになる。
【０００７】
このチリは、通常、２〜５ｍｍ（粍）とかなり大きいので、ここに金鋸を差し入れてラッチヘッド及びラッチボルトを挽き切ったり、或いは、ここで説明することは公序良俗に反することになるので説明を省略する他の方法でラッチヘッドを破壊することによる暴力的な破錠を許す、という不都合が生じる。
【０００８】
そこで、この発明は、チリに露出するラッチヘッドの破壊を有効に防止できるデッドボルトの構造を提案することを目的としている。
【課題を解決するための手段】
【０００９】
上記の目的を達成するため、請求項１に記載の発明は、ラッチボルトと、このラッチボルトの先端に結合ピンを介して装着されたラッチヘッドと、ラッチボルトの内端部を前後方向に摺動可能に案内するデッドボードと、錠箱側面の内面に固定された図示しないストッパーに関し、デッドボード４を前方に付勢すると共に、デッドボード４に関しラッチヘッド３を相対的に後方に付勢するラッチばねとを有し、上記ラッチヘッドには、斜面を挟んで、ストライク孔の開口端縁と係合して扉を扉枠に係止する衝止面と側面とを形成したものにおいて、上記ラッチボルトを焼を入れた鋼鉄の棒とし、その前端がラッチヘッドの斜面及び側面の交差部より前方に位置するようにラッチヘッドへの挿入深さを設定したことを特徴とする。
【発明の効果】
【００１０】
上記のように構成されたこの発明によるデッドボルトは、チリに露出するラッチヘッドの部分に焼を入れた鋼鉄の棒であるラッチボルトが存在することになるので、デッドボルトを破壊することによる暴力的な破錠を有効に防止できる、という所期の目的を奏する。
【発明を実施するための最良の形態】
【００１１】
先端にラッチヘッドを装着するラッチボルトの材質を焼を入れた鋼鉄とし、その先端を深くラッチヘッドに挿入するようにしたので、チリ内に露出するラッチヘッドの芯を焼入れ鋼棒とすることができた。
【実施例１】
【００１２】
以下、図１及び図２を参照してこの発明の一実施例を説明する。
なお、図１及び図２において図３と等符号を付した部分は相互に均等な部分に相当する。
【００１３】
図１及び図２に示すように、焼を入れた鋼鉄の棒であるラッチボルト１は、図３に示す従来のラッチボルトと比較してかなり太くしてあり、かつ、その先端がラッチヘッドの斜面６と側面８との交差部より前方（図１及び図２で左方）に位置するように、ラッチボルト１のラッチヘッド３に対する挿入深さが設定されている。
【００１４】
ちなみに、ラッチボルト１の材質を焼入れ鋼棒としたから、ラッチボルトの後端にかしめによりフランジ１１を固定することができず、ラッチボルトの後端面にタップを立て、フランジ１１をねじ止めしている。
【００１５】
また、図示の実施例におけるラッチヘッド３の材質は含油ステンレス焼結合金であり、その後端部をステンレス板を折り曲げて一面が開いた箱状に成形したラッチ補強板１２で覆ってある。
【００１６】
更にまた、図示の実施例のデッドボルトにおけるラッチばね５の弾装の態様は、縦断面形状が細長いコ字形で、図１において上が開いたデッドボード４の内側に、これよりも短く、デッドボード４と同様に縦断面形状が細長いコ字形のプロテクトプレート１３を入れ子状に組合わせて、ラッチボルト１に沿って相互に移動可能に案内させてある。
【００１７】
なお、デッドボード４は錠箱の側面に前後方向に移動可能に案内され、図示しない錠止機構に連係されて、施錠時デッドボード全体が少し前方に突出し、ストライク１０（図１参照）との係合の度合いを大きくするように構成されている。
【００１８】
そして、プロテクトプレート１３の後面１３ａの前方にラッチばね受けワッシャー１４を摺動可能に嵌装し、このラッチばね受けワッシャー１４とプロテクトプレート１３の前面の間におけるラッチボルト１に、圧縮コイルばねとしてのラッチばね５を巻装してある。
【００１９】
図１及び図２はデッドボルトを部品として示してあるので、ラッチばね５の弾力によりラッチばね受けワッシャー１４がプロテクトプレート１３の後面１３ａに接触しているが、組立状態においては、ラッチばね受けワッシャー１４とプロテクトプレート１３の後面１３ａとの間に、錠箱の内面に固定された図示しないストッパーが図１において上方から挿入され、ラッチばね５を少し押し縮める態様でデッドボルトの前後方向の位置が設定される。
【００２０】
そのため、扉を閉めるときラッチヘッドの斜面６とストライク板との係合によって生じる楔作用により、デッドボルト全体が内方に押込まれ、ラッチヘッド３がストライク孔に整合するに致り、ラッチばね５の弾力によりストライク孔に投入される。
【図面の簡単な説明】
【００２１】
【図１】この発明の一実施例によるデッドボルトの水平面による縦断面図。
【図２】この発明の一実施例によるデッドボルトの側面図。
【図３】従来のデッドボルトの一例を示す図１と同様の水平面による縦断面図。
【符号の説明】
【００２２】
１  ラッチボルト
２  結合ピン
３  ラッチヘッド
４  デッドボード
５  ラッチばね
６  斜面
７  衝止面
８  側面
９  フロント板外面
１１  フランジ
１２  ラッチ補強板
１３  プロテクトプレート
１４  ラッチばね受けワッシャー
【図１】
2007284871.tif 000003
【図２】
2007284871.tif 000004
【図３】
2007284871.tif 000005